(57)【要約】【課題】車載のワイヤハーネスから発生した電波によって車載のラジオから雑音が発声されるのを防止する。【解決手段】  ワイヤハーネス６ａ，６ｂの電圧・電流を制御する電力制御装置８に指示信号を出力する指示装置２が電力制御装置８に出力している指示内容を入力し、入力した指示内容に対応する合成用電圧を出力する合成用電圧出力装置１２と、合成用電圧出力装置１２が出力した合成用電圧を合成した電圧をラジオ１８に接続されているアンテナ線Ｄに出現させる合成装置１６を備えている。電力制御装置８に対する指示信号によって合成装置１６で合成する電圧を発生することから、ワイヤハーネス６ａ，６ｂから発生した電波によってラジオ用アンテナ１４に誘起される電圧が除去される。【選択図】図１
2013126131.tif 000002
【特許請求の範囲】
【請求項１】
指示装置が出力する指示信号に基づいてワイヤハーネスの通電電力を制御する電力制御装置と、通電電力に対応する電波を放出するワイヤハーネスと、電波を受信して誘起電圧を生じるラジオ用アンテナを備えた車両におけるラジオ雑音除去装置であり、
指示装置が電力制御装置に出力している指示内容を入力し、入力した指示内容に対応する合成用電圧を出力する合成用電圧出力装置と、
合成用電圧出力装置が出力した合成用電圧とラジオ用アンテナに生じた誘起電圧を合成する合成装置と、
を備えているラジオ雑音除去装置。
【請求項２】
電力制御装置がインバータであり、
ワイヤハーネスに走行用モータが接続されており、
ラジオがＡＭを受信しているか否かを判別する装置が付加されており、
ＡＭを受信している間、合成用電圧出力装置と合成装置を動作させることを特徴とする請求項１に記載のラジオ雑音除去装置。
【請求項３】
合成装置は、ラジオ用アンテナに接続されているアンテナ線に生じている誘起電圧から、合成用電圧出力装置が出力した合成用電圧を減算する減算装置を備えていることを特徴とする請求項２に記載のラジオ雑音除去装置。
【請求項４】
合成用電圧出力装置が、インバータに対する指示内容から、ワイヤハーネスから発生する電波によってラジオ用アンテナに誘起される誘起電圧を計算する計算装置を備えていることを特徴とする請求項３に記載のラジオ雑音除去装置。
【請求項５】
合成用電圧出力装置が、インバータに対する指示内容に対応付けて、合成用電圧を記憶している記憶装置を備えていることを特徴とする請求項３に記載のラジオ雑音除去装置。
【請求項６】
合成用電圧出力装置が、ワイヤハーネスの温度に依存して、出力する合成用電圧を補正する補正装置を備えていることを特徴とする請求項４または５に記載のラジオ雑音除去装置。
【請求項７】
指示装置が出力する指示信号に基づいてワイヤハーネスの通電電力を制御する電力制御装置と、通電電力に対応する電波を放出するワイヤハーネスと、電波を受信して誘起電圧を生じるラジオ用アンテナを備えた車両におけるラジオ雑音除去装置であり、
指示装置が電力制御装置に出力している指示内容を入力し、入力した指示内容に対応する合成用電圧を出力する合成用電圧出力装置と、
合成用電圧出力装置が出力する合成用電圧を反転した電圧を発信アンテナに通電する通電装置と、
を備えていることを特徴とするラジオ雑音除去装置。
【発明の詳細な説明】
【技術分野】
【０００１】
本明細書では、車載されているワイヤハーネスから発生した電波を、車載されているラジオが音声に変換してしまうことを防止するラジオ雑音除去装置を開示する。
【背景技術】
【０００２】
車載されているワイヤハーネスにラジオ帯域の周波数成分を持つ電流が通電されると、ワイヤハーネスから電波が発生し、その電波が車載されているラジオによって音声に変換されて雑音となる。本明細書では、ワイヤハーネスの通電電流に起因してラジオが雑音を発声することを防止する技術を開示する。
【０００３】
特許文献１に雑音除去技術が開示されている。特許文献１の技術では、ワイヤハーネスの周りに検出コイルを配置し、その検出コイルに誘起された電圧からラジオ帯域の周波数成分を抽出する。特許文献１の技術では、ラジオ用アンテナとラジオを結ぶアンテナ線の途中に、ラジオ用アンテナに誘起された電圧から、前記の抽出電圧を減算する減算器を設けている。これによって、ワイヤハーネスの通電電流によって発生した電波の影響を相殺した電圧がラジオに入力される。前記の抽出電圧から位相を反転した電圧を発信アンテナに通電し、ワイヤハーネスの通電電流によって発生した電波の影響を相殺した電波がラジオ用アンテナで受信されるようにする技術も開示されている。
【先行技術文献】
【特許文献】
【０００４】
【特許文献１】特開平８−３３５９１５号公報
【発明の概要】
【発明が解決しようとする課題】
【０００５】
特許文献１の技術は、ワイヤハーネスの周りに配置した検出コイルでワイヤハーネスの通電電流に起因する電波による誘起電圧を検出する。この場合、ワイヤハーネスの周りに配置した検出コイルは、ワイヤハーネスの通電電流に起因する誘起電圧のみならず、検出コイルの周囲から放出される電磁波ノイズによる誘起電圧をも検出してしまう。特許文献１の技術では、ワイヤハーネスの通電電流に起因する誘起電圧のみを抽出することはできない。
ラジオ用アンテナは、ラジオ信号に、ワイヤハーネスが発生する電波に起因する誘起電圧とラジオ用アンテナの周囲から放出される電磁波ノイズによる誘起電圧が重畳した電圧を出力する。特許文献１の技術によると、検出コイルで検出した電圧を減算することから、ラジオに入力される電圧は、以下のものとなる。
【０００６】
ラジオ入力
＝ラジオ用アンテナの誘起電圧―検出コイル誘起電圧
＝（ラジオ信号＋ワイヤハーネスに起因する電波による誘起電圧＋ラジオ用アンテナで受信する周囲からの電磁波ノイズによる誘起電圧）―（ワイヤハーネスに起因する電波による誘起電圧＋検出コイルで受信する周囲からの電磁波ノイズによる誘起電圧）
＝ラジオ信号＋ラジオ用アンテナで受信する電磁波ノイズによる誘起電圧―コイルで受信する電磁波ノイズによる誘起電圧
【０００７】
ラジオ用アンテナは車体外にあり、検出コイルは車体内にある。そのために、ラジオ用アンテナで受信する電磁波ノイズによる誘起電圧と、検出コイルで受信する電磁波ノイズによる誘起電圧は異なっている。特許文献１の技術では、検出コイルで受信する電磁波ノイズによる誘起電圧をも減算してしまうことから、これが新たな雑音となってしまう。なお、ラジオ用アンテナで受信する電磁波ノイズによる誘起電圧によってラジオから雑音が生じないようにする技術が発達しており、ラジオ用アンテナで受信する電磁波ノイズによる誘起電圧を相殺する新技術は必要とされていない。
【０００８】
本明細書では、ラジオ入力＝ラジオ信号＋ラジオ用アンテナで受信する電磁波ノイズによる誘起電圧の関係が得られる技術、すなわち、ワイヤハーネスに起因する電波による誘起電圧を相殺するに当たって、ワイヤハーネスに起因する電波による誘起電圧のみを相殺でき、ワイヤハーネスの通電電流検出装置に作用する電磁波ノイズによる誘起電圧まで相殺してしまうことのない技術を開示する。
【課題を解決するための手段】
【０００９】
本明細書では、指示装置が出力する指示信号に基づいてワイヤハーネスの通電電力を制御する電力制御装置と、通電電力に対応する電波を放出するワイヤハーネスと、電波を受信して誘起電圧を生じるラジオ用アンテナを備えた車両におけるラジオ雑音除去装置を開示する。すなわち、ラジオがワイヤハーネスから発生した電波を音声に変換しまうことを防止する技術を開示する。
本明細書で開示するラジオ雑音除去装置は、指示装置が電力制御装置に出力している指示内容を入力し、入力した指示内容に対応する合成用電圧を出力する合成用電圧出力装置と、合成用電圧出力装置が出力した合成用電圧とラジオ用アンテナに生じた誘起電圧を合成する合成装置を備えている。
【００１０】
上記のラジオ雑音除去装置は、ワイヤハーネスの通電電力を制御する電力制御装置に対する指示内容に従って、相殺する電圧を生成する。ワイヤハーネスの通電電力を検出する装置を利用しないことから、その検出装置がワイヤハーネスの通電電流以外の影響、すなわち、周囲からの電磁波ノイズによる誘起電圧を検出しまうことがない。
【００１１】
上記のラジオ雑音除去装置は、電力制御装置がインバータであり、ワイヤハーネスに走行用モータが接続されており、ワイヤハーネスに大電流が流れる場合に特に有用である。
その場合、ラジオがＡＭを受信しているか否かを判別する装置を付加し、ＡＭを受信している間、合成用電圧出力装置と合成装置を動作させることが好ましい。
【００１２】
ワイヤハーネスに起因する電波による影響を除去するためには、ラジオ用アンテナで受信する段階で影響を除去するようにしてもよいし、ラジオ用アンテナで受信した後で影響を除去するようにしてもよい。
後者の場合、ラジオ用アンテナに接続されているアンテナ線に生じている誘起電圧から合成用電圧出力装置が出力した合成用電圧を減算する減算装置によって、合成装置を構成する。
【００１３】
合成用電圧出力装置は、インバータに対する指示内容から、ワイヤハーネスから発生する電波によってラジオ用アンテナに誘起される誘起電圧を計算する計算装置を備えており、計算結果に基づいて合成用電圧を出力するものであってもよい。あるいは、インバータに対する指示内容に対応付けて、合成用電圧を記憶している記憶装置を備えており、指示内容に対応付けて記憶されている合成用電圧に基づいて合成用電圧を出力するものであってもよい。記憶装置に記憶しておく合成用電圧は、計算装置で計算した結果であってもよいし、実際に測定された結果であってもよい。
【００１４】
インバータに対する指示内容に従ってインバータが動作する場合、ワイヤハーネスに流れる電流値は基本的にはインバータの動作によって決定されるが、ワイヤハーネスのインピーダンスが温度に依存して変化することから、正確にいうと、ワイヤハーネスに流れる電流値はワイヤハーネスの温度の影響を受ける。そこで、合成用電圧出力装置が、ワイヤハーネスの温度に依存して、合成用電圧出力装置から出力する合成用電圧を補正する補正装置を備えていることが好ましい。
【００１５】
ワイヤハーネスに起因する電波による影響を、ラジオ用アンテナで受信する段階で除去することも可能であり、この場合は、合成用電圧出力装置が出力する合成用電圧を反転した電圧を発信アンテナに通電する装置によって、合成装置を構成する。この場合、ラジオ用アンテナでワイヤハーネスに起因する電波による影響を相殺した電波が受信される。
【発明の効果】
【００１６】
本明細書に開示されているラジオ雑音除去装置によると、ワイヤハーネスの通電電流を制御する電力制御装置に対する指示信号に基づいて、ワイヤハーネスが発生する電波によってラジオ用アンテナに誘起される電圧を相殺する電圧が生成されて合成されることから、ワイヤハーネスが発生する電波がラジオによって音声に変換されることがなく、ラジオが雑音を発声することが防止される。
【図面の簡単な説明】
【００１７】
【図１】実施例１のラジオ雑音除去装置の構成を示す図。
【図２】実施例２のラジオ雑音除去装置の構成を示す図。
【図３】合成用電圧出力装置の構成の実施例１を示す図。
【図４】合成用電圧出力装置の構成の実施例２を示す図。
【図５】合成用電圧出力装置の構成の実施例３を示す図。
【図６】合成用電圧出力装置の構成の実施例４を示す図。
【図７】実施例のラジオ雑音除去装置が実行する処理内容の実施例１を示す図。
【図８】実施例のラジオ雑音除去装置が実行する処理内容の実施例２を示す図。
【図９】実施例のラジオ雑音除去装置が実行する処理内容の実施例３を示す図。
【図１０】実施例のラジオ雑音除去装置が実行する処理内容の実施例４を示す図。
【発明を実施するための形態】
【００１８】
下記に説明する実施例の主要な特徴を列記する。
特徴１：ワイヤハーネスから発生した電波を相殺する電波を発信アンテナから発信させるために、発信アンテナに印加する合成用電圧をインバータに対する指示内容から計算する。
特徴２：ワイヤハーネスから発生した電波を相殺する電波を発信アンテナから発信させるために、発信アンテナに印加する合成用電圧をインバータに対する指示内容に対応付けて記憶しておく。
特徴３：特徴２において、インバータに対する指示内容から計算した値を記憶しておく。再計算に要する時間を節約できる。
特徴４：特徴２において、インバータに対する指示内容に対応付けてラジオ用アンテナに誘起された電圧を測定し、その位相を反転させた電圧をインバータに対する指示内容に対応付けて記憶しておく。
特徴５：合成用電圧出力装置と合成装置は、ラジオ内に搭載されている。
特徴６：合成用電圧出力装置と合成装置は、ラジオ外に車載されている。
【実施例】
【００１９】
図１において、参照番号４は電源装置、８は電力制御装置、１０は電気機器、２は電力制御装置８に指示信号を出力する指示装置、６ａは電源装置４と電力制御装置８を接続しているワイヤハーネス、６ｂは電力制御装置８と電気機器１０を接続しているワイヤハーネスである。本実施例では、電源装置４は多数個の電池を直列に接続した高圧電池であり、電気機器１０は走行用モータであり、電力制御装置８はインバータである。電力制御装置（インバータ）８はスイッチング素子と電圧変換装置を内蔵しており、ワイヤハーネス６ａ，６ｂに流れる電流・電圧を制御する。ワイヤハーネス６ａ，６ｂには、電気機器（走行用モータ）１０を駆動する大電力が流れる。電力制御装置８でワイヤハーネス６ａ，６ｂに流れる通電電力をスイッチングする際に、ラジオ帯域の高周波成分が現れ、それがワイヤハーネス６ａ，６ｂの周囲に雑音電波を発生させる。参照番号１４は、ラジオ信号を受信するラジオ用アンテナであり、１８はラジオである。ワイヤハーネス６ａ，６ｂから発生した電波は、ラジオ用アンテナ１４で受信され、ラジオ１８によって音声に変換される。何らかの対策を講じないと、ラジオ１８からワイヤハーネス６ａ，６ｂが発生した雑音電波による雑音が発声される。なお、図１の装置類は１台の車両に車載されている。
【００２０】
ラジオ１８からワイヤハーネス６ａ，６ｂが発生した電波による雑音が発声されるのを防止するために、合成用電圧出力装置１２と合成装置１６が付加されている。
合成用電圧出力装置１２は、指示装置２が電力制御装置８に出力している指示信号を入力し、合成装置１６に合成用電圧を出力する。合成装置１６は、ラジオ用アンテナ１４によってラジオ用アンテナ１４側のアンテナ線Ｃに生じる誘起電圧から、合成用電圧出力装置１２が出力する合成用電圧を減算し、減算された電圧をラジオ１８側のアンテナ線Ｄに出現させる。
【００２１】
図１の矢印Ａは、ＡＭラジオ信号に対応する電波を示し、（Ａ）は電波Ａによってラジオ用アンテナ１４に誘起される電圧の時間的変化を示している。横軸は時間であり、縦軸は電圧である。矢印Ｂは、ワイヤハーネス６ａ，６ｂから発生する電波を示し、（Ｂ）は電波Ｂによってラジオ用アンテナ１４に誘起される電圧の時間的変化を示している。（Ｂ）に示す電圧の振幅と周波数は、ワイヤハーネス６ａ，６ｂに印加する電圧とワイヤハーネス６ａ，６ｂを流れる電流値に依存して変化する。ワイヤハーネス６ａ，６ｂに印加する電圧とワイヤハーネス６ａ，６ｂを流れる電流値は、電力制御装置（インバータ）８の動作によって決定され、電力制御装置８の動作は指示装置２が出力する指示信号によって決定される。（Ｂ）に示す電圧の振幅と周波数は、指示装置２が出力する指示信号によって決定される。
【００２２】
合成用電圧出力装置１２は、指示装置２が出力する指示信号に基づいて、（Ｂ）に示す電圧の振幅と周波数を決定し、決定した振幅と周波数の電圧を生成して合成装置１６に出力する。すなわち、合成用電圧出力装置１２は、指示装置２が出力する指示信号に基づいて、ワイヤハーネス６ａ，６ｂから発生する電波によってラジオ用アンテナ１４に誘起される電圧と等しい電圧（Ｂ）を合成装置１６に出力する。
【００２３】
図１の（Ｃ）は、ラジオ用アンテナ１４側のアンテナ線Ｃに生じる誘起電圧を示し、ラジオ信号Ａによってラジオ用アンテナ１４に誘起される電圧（Ａ）に、ワイヤハーネス６ａ，６ｂから発生した電波Ｂによってラジオ用アンテナ１４に誘起される電圧（Ｂ）が加算された電圧となっている。
合成装置１６は、ラジオ用アンテナ１４によってラジオ用アンテナ１４側のアンテナ線Ｃに生じる誘起電圧から、合成用電圧出力装置１２が出力する合成用電圧（Ｂ）を減算し、減算された電圧をラジオ１８側のアンテナ線Ｄに出現させる。ラジオ１８側のアンテナ線Ｄに出現する電圧（Ｄ）は下記となる。
（Ｄ）＝（Ｃ）−（Ｂ）＝（Ａ＋Ｂ）−（Ｂ）＝（Ａ）
合成用電圧出力装置１２と合成装置１６が付加されているために、ラジオ１８側のアンテナ線Ｄに出現する電圧（Ｄ）には、ワイヤハーネス６ａ，６ｂから発生する電波Ｂによってラジオ用ラジオ用アンテナ１４に誘起される電圧（Ｂ）が影響しない。ラジオ１８から、ワイヤハーネス６ａ，６ｂが発生する電波Ｂによる雑音が発声されることはない。
【００２４】
図３は、合成用電圧出力装置１２の実施例１の構成を示している。図中３０は、指示装置２が出力する指示信号から、ワイヤハーネス６ａ，６ｂから発生する電波Ｂによってラジオ用アンテナ１４に誘起される電圧（Ｂ）を計算する装置を示している。ワイヤハーネス６ａ，６ｂの周囲に形成される電界強度を計算することで、ラジオ用アンテナ１４に誘起される電圧（Ｂ）を計算することができる。誘起電圧Ｖ（ｖ）＝ラジオ用アンテナ１４の実効長Ｌｅ（ｍ）×電界Ｅ（Ｖ／ｍ）×ｓｉｎθ（ラジオ用アンテナ１４に対する角度）の式等から計算することができる。図中３２は、計算された電圧を生成する装置を示している。図中３４は、ワイヤハーネスの温度によって合成装置１６に出力する合成用電圧を補正する装置を示している。ワイヤハーネスのインピーダンスは温度に依存して変化する。そのために、ワイヤハーネスに流れる電流値は、おおむねインバータに対する指示内容によって決定されるが、正確に言うとワイヤハーネスの温度によって増減する。補正装置３４は、ワイヤハーネスの温度に依存して、合成用電圧出力装置１２から合成装置１６に出力する合成用電圧を補正する。
【００２５】
図７は、本実施例のラジオ雑音除去装置が実施する処理内容を示している。ステップＳ２では、ＡＭラジオ１８がオンされているか否かを判別する。ワイヤハーネス６ａ，６ｂから発生する電波Ｂによる雑音がラジオから発声されるのは、ＡＭラジオの受信中である。ＡＭラジオがオンされていなければ、ステップＳ４以降の処理は実施されない。ＡＭを受信している間だけ、合成用電圧出力装置１２と合成装置１６が動作する。
ＡＭを受信している間はステップＳ４以降が実行される。ステップＳ４では、計算装置３０が合成用電圧を計算し、電圧発生装置３２が計算された電圧を発生させる。ステップＳ６では、補正装置３４によって、ワイヤハーネスの温度に依存して、合成用電圧出力装置１２から合成装置１６に出力する合成用電圧を補正する。ステップＳ８では、合成装置１６によって減算処理を実施する。その結果、ラジオ１８からワイヤハーネスが発生する電波の影響を除去した音声が発声される（ステップＳ１０）。
【００２６】
図４は、合成用電圧出力装置１２の実施例２の構成を示している。この場合、補正装置３４によって補正された電圧を、電圧発生装置３２から発生する。
【００２７】
図５は、合成用電圧出力装置１２の実施例３の構成を示している。図中３６は、指示装置２が出力する指示信号に対応づけて、ワイヤハーネス６ａ，６ｂから発生する電波によってラジオ用アンテナ１４に誘起される電圧を記憶している。その記憶値は、計算装置３０で予め計算した値を記憶しておいてもよい。予め計算しておいた値を記憶しておけば、再計算する必要がなく、再計算に要する時間だけ処理を高速化することができる。
あるいは、図８に示すように、指示装置２が出力する指示信号を変化させながら、ラジオ用アンテナ１４側のアンテナ線Ｃに誘起される電圧を計測し（Ｓ１２）、計測された誘起電圧を指示装置２が出力する指示信号に対応づけて、記憶装置３６に記憶しておいてもよい（Ｓ１４）。
記憶装置３６を利用する場合、図７のステップＳ４に代えて、図９のステップＳ４Ａを実施する。
【００２８】
図６は、合成用電圧出力装置１２の実施例４の構成を示している。この場合、補正装置３４によって補正された電圧を、電圧発生装置３２から発生する。
【００２９】
図１の装置では、ラジオ用アンテナ１４側のアンテナ線Ｃに、ワイヤハーネス６ａ，６ｂから発生する電波によって誘起される電圧が重畳したものが誘起され、それから合成装置１６によって、ワイヤハーネス６ａ，６ｂから発生する電波によって誘起される電圧を除去する。それに代えて、ラジオ用アンテナ１４側のアンテナ線Ｃにワイヤハーネス６ａ，６ｂから発生する電波によって誘起される電圧が重畳しないように合成することもできる。
図２の場合、合成用反転電圧出力装置１２Ａで、合成用電圧出力装置１２から出力される合成用電圧の位相を反転した電圧を出力する。その電圧は発信アンテナ２０に印加され、発信アンテナ２０からラジオ用アンテナ１４に送信される。
【００３０】
図２において、矢印Ａは、ＡＭラジオ信号に対応する電波を示し、（Ａ）は電波Ａによってラジオ用アンテナ１４に誘起される電圧の時間的変化を示している。矢印Ｂは、ワイヤハーネス６ａ，６ｂから発生する電波を示し、（Ｂ）は電波Ｂによってラジオ用アンテナ１４に誘起される電圧の時間的変化を示している。矢印Ｅは、発信アンテナ２０からラジオ用アンテナ１４に送信される電波Ｅを示し、（Ｅ）は電波Ｅによってラジオ用アンテナ１４に誘起される電圧の時間的変化を示している。（Ｂ）と（Ｅ）に示すように、両者の振幅と周波数は等しく、位相が反転している。（Ｂ）＋（Ｅ）＝ゼロの関係にある。合成用反転電圧出力装置１２Ａは（Ｂ）＋（Ｅ）＝ゼロとする（Ｅ）がラジオ用アンテナ１４に誘起される電波が発信アンテナ２０から送られる電圧を計算して発信アンテナ２０に印加する。
図２に示す実施例の場合は、図７のステップＳ８に代えて、図１０のステップＳ８Ａを実施する。
【００３１】
本実施例では、電波（Ｂ）と電波（Ｅ）の間で合成が行われる。ラジオ１８に接続されているアンテナ線Ｆに誘起される電圧（Ｆ）は、（Ｆ）＝（Ａ）＋（Ｂ）＋（Ｅ）であるところ、（Ｂ）＋（Ｅ）＝ゼロであるために、（Ｆ）＝（Ａ）となる。図２の実施例によっても、ワイヤハーネス６ａ，６ｂから発生した電波によってラジオ用アンテナ１４に誘起される電圧が、ラジオに接続されているアンテナ線Ｆに重畳させなくする合成用電圧を合成することができる。
【００３２】
合成用反転電圧出力装置１２Ａは、合成用電圧出力装置１２と同様に、図３から図６の構成とすることができる。
本実施例では、ラジオ用アンテナ１４に、ラジオ信号の電波Ａと、ワイヤハーネスが発生する電波Ｂと、発信アンテナ２０からの電波Ｅ以外の電波が到達しないかのように説明したが、実際にはその他の雑音電波も到達する。それらは既知のフィルタ技術等で除去できるので、その他の雑音電波に関する説明を省略した。
【００３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３４】
２：指示装置
４：電源装置（高圧電池）
６，６ａ，６ｂ：ワイヤハーネス
８：電力制御装置
１０：電気機器
１２：合成用電圧出力装置
１２Ａ：合成用反転電圧出力装置
１４：ラジオ用アンテナ
１６：合成装置
１８：ラジオ
２０：発信アンテナ
３０：誘起電圧計算装置
３２：誘起電圧発生装置
３４：補正装置
３６：誘起電圧記憶装置
Ａ：ラジオ信号電波
Ｂ：ワイヤハーネスから発生する電波
Ｃ：ラジオ用アンテナ側のアンテナ線
Ｄ：ラジオ側のアンテナ線
Ｅ：発信アンテナからの電波
Ｆ：ラジオに接続されているアンテナ線
【図１】
2013126131.tif 000003
【図２】
2013126131.tif 000004
【図３】
2013126131.tif 000005
【図４】
2013126131.tif 000006
【図５】
2013126131.tif 000007
【図６】
2013126131.tif 000008
【図７】
2013126131.tif 000009
【図８】
2013126131.tif 000010
【図９】
2013126131.tif 000011
【図１０】
2013126131.tif 000012